(57)【要約】【課題】液切れ性が一層高められ、容器内容液の注ぎ出しを繰り返し行った場合にも安定した液切れ性を有していると共に、上蓋を開放する場合にクチバシ部が指に当たることによって使用者に与える不快感が防止され、しかも成形性にも優れているプラスチックキャップを提供する。【解決手段】キャップ本体１の頂板部５の上面に容器内容液の注ぎ出し用案内となる注出突部１５が設けられており、注出突部１５の上端には、径方向外方に突出しており且つ上面から見て中心部に頂点を有している全体として三角形状のクチバシ部３０が形成され、クチバシ部３０の側断面は、上端よりも低い位置に径方向外方に最も突出した最突出部６０を有しており、最突出部６０から下方の領域には、最突出部６０を含む下に凸の曲率面６３が形成され、最突出部６０から上方に延びている面が、キャップを４５度傾斜したとき、最突出部６０よりも上方の領域に径方向外方に最も突出したシフト突出部７０が形成されるような形状を有している。【選択図】図４
2011213369.tif 000002
【特許請求の範囲】
【請求項１】
容器口部に固定されるキャップ本体と、該キャップ本体に開閉可能に装着される上蓋とからなり、キャップ本体は、頂板部と頂板部の周縁部から降下したスカート部とを備えていると共に、該頂板部には、容器内容液を注ぎ出すための開口或いは開口予定部が形成されており、該頂板部の上面には、該開口或いは開口予定部の外側部分に、上方に突出して容器内容液の注ぎ出し用案内となる注出突部が設けられているプラスチックキャップにおいて、
前記注出突部の上端には、径方向外方に突出しており且つ上面から見て中心部に頂点を有している全体として三角形状のクチバシ部が形成されており、
前記クチバシ部の側断面は、プラスチックキャップの正立状態において、上端よりも低い位置に径方向外方に最も突出した最突出部を有しており、該最突出部から下方の領域には、該最突出部を含む下に凸の曲率面が形成されていると共に、該最突出部から上方に延びている面は、プラスチックキャップを４５度傾斜したとき、該最突出部よりも上方の領域に径方向外方に最も突出したシフト突出部が形成されるような形状を有していることを特徴とするプラスチックキャップ。
【請求項２】
前記注出突部は、前記クチバシ部の下方部分に下方から上方に向かって外方に傾斜している傾斜壁を有しており、該傾斜壁の外面の傾斜角度は、周方向両端から前記クチバシ部の中心に位置する部分に向かって漸次大きくなっている請求項１に記載のプラスチックキャップ。
【発明の詳細な説明】
【技術分野】
【０００１】
本発明は、プラスチックキャップに関するものであり、より詳細には、容器内容液の注ぎ出し用案内となる注出突部の上端に、外方に突出したクチバシ部が注ぎ口として形成されている注出突部付キャップに関するものである。
【背景技術】
【０００２】
容器内容液の注ぎ出し用案内となる注出突部を備えたプラスチックキャップは、広く使用されている。このような注出突部付プラスチックキャップの代表的なものは、例えば容器口部に固定されるキャップ本体と、該キャップ本体に開閉可能にヒンジ連結された上蓋とからなり、該キャップ本体に注出突部が設けられた構造を有している。即ち、キャップ本体は、筒状側壁と、該筒状側壁の上端を閉じるようにして形成されている頂板部とを有しており、この頂板部の上面に注出突部が形成されており、頂板部の注出突部で囲まれた部分には、無端状のスコアで区画された開口予定部が形成されている。容器口部に固定されているキャップ本体の上記スコアを引き裂くことにより開口が形成され、この開口を通して容器内容液の注ぎ出しを行うと、注ぎ出された液は、注出突部の壁面に沿って流れ、飛び散り等を生じることなく、スムーズに内容液の注ぎ出しが行われることとなる。
【０００３】
上記のような注出突部においては、一般に、その上端の少なくとも一部は、注出突部の付け根部分よりも外方に突出して注ぎ口となっており、該注ぎ口では、その上端部分が、ラッパ状に外方に湾曲しているが、最近では、注出突部の上端に、外方に大きく突出したクチバシ部を形成し、このようなクチバシ部を注ぎ口とすることが提案されており、クチバシ部の形成により液切れ性が高められることが知られている（特許文献１、２参照）。
【０００４】
しかるに、特許文献１，２のように注出突部にクチバシ部が設けられたプラスチックキャップでは、閉じられた上蓋を開けるときに、指が尖ったクチバシ部に当り、使用者に不快感を与えるという問題がある。
この問題が解決されたプラスチックキャップとして、上端にクチバシ部を備えた注出突部の外面に、外方に突出した緩衝用突部が設けられたものが提案されている（特許文献３参照）。
【先行技術文献】
【特許文献】
【０００５】
【特許文献１】特開２００３−４０２９９号公報
【特許文献２】特開２００４−３５２２８４号公報
【特許文献３】特開２０１０−３６９３２号公報
【発明の概要】
【発明が解決しようとする課題】
【０００６】
しかしながら、特許文献１〜３などで提案されているクチバシ部を備えた従来公知のキャップは、確かに、それまでのキャップと比較して液切れ性が改善されているのであるが、閉じられた上蓋を開けるときに、指が尖ったクチバシ部に当り、使用者に不快感を与えるという問題がある。
【０００７】
また、特許文献３で提案されているキャップでは、上蓋を開放する場合にクチバシ部が指に当たることによって使用者に与える不快感が防止されている。しかしながら、クチバシ部が指に当ることを防止するために、注出突部の外面であってクチバシ部よりも下方の部分に緩衝用突部を設けているため、成形後の型抜きが無理抜きとなるため、成形性に若干問題があった。また、内容液によっては、注ぎ出しを行った後、正立状態に戻す際に、注出突部の側面から下面側に内容液が裏回りして、注出突部の外面に沿って垂れ落ちる場合があった。
【０００８】
従って、本発明の目的は、液切れ性が一層高められ、容器内容液の注ぎ出しを繰り返し行った場合にも安定した液切れ性を有していると共に、上蓋を開放する場合にクチバシ部が指に当たることによって使用者に与える不快感が防止され、しかも成形性にも優れており、容易に成形することが可能なプラスチックキャップを提供することにある。
【課題を解決するための手段】
【０００９】
本発明によれば、容器口部に固定されるキャップ本体と、該キャップ本体に開閉可能に装着される上蓋とからなり、キャップ本体は、頂板部と頂板部の周縁部から降下したスカート部とを備えていると共に、該頂板部には、容器内容液を注ぎ出すための開口或いは開口予定部が形成されており、該頂板部の上面には、該開口或いは開口予定部の外側部分に、上方に突出して容器内容液の注ぎ出し用案内となる注出突部が設けられているプラスチックキャップにおいて、
前記注出突部の上端には、径方向外方に突出しており且つ上面から見て中心部に頂点を有している全体として三角形状のクチバシ部が形成されており、
前記クチバシ部の側断面は、プラスチックキャップの正立状態において、上端よりも低い位置に径方向外方に最も突出した最突出部を有しており、該最突出部から下方の領域には、該最突出部を含む下に凸の曲率面が形成されていると共に、該最突出部から上方に延びている面は、プラスチックキャップを４５度傾斜したとき、該最突出部よりも上方の領域に径方向外方に最も突出したシフト突出部が形成されるような形状を有していることを特徴とするプラスチックキャップが提供される。
【００１０】
本発明においては、
（１）前記注出突部は、前記クチバシ部の下方部分に下方から上方に向かって外方に傾斜している傾斜壁を有しており、該傾斜壁の傾斜角度は、周方向両端から前記クチバシ部の中心に位置する部分に向かって漸次大きくなっていること、
が好ましい。
【発明の効果】
【００１１】
本発明のプラスチックキャップにおいては、注出突部の上端に形成されているクチバシ部の側断面は、該キャップの正立状態において、上端よりも低い位置に径方向外方に最も突出した最突出部を有しており、キャップを４５度傾斜したとき、該最突出部よりも上方の領域に径方向外方に最も突出したシフト突出部が形成されるように、最突出部から上方の領域に傾斜面もしくは曲率面が形成されている。即ち、このキャップが装着されている容器を傾けて容器内容液の注ぎ出しを行う場合、そのときの容器（キャップ）の傾斜角度は４５度以上であるため、クチバシ部を通って注ぎ出される内容液は、クチバシ部の最突出部から離れたシフト突出部で下方に落下することとなる。この結果、注ぎ出される内容液が最突出部の裏側に裏回りすることがなく、内容液が注出突部の外面に沿って流れ落ちてしまうという不都合を有効に防止することができる。
【００１２】
また、本発明では、該最突出部から下方の領域には、該最突出部を含む下に凸の曲率面となっている。この結果、キャップを開封するときに開封者の指がクチバシ部に当たったとしても、指が当る部分が曲率面となるため、開封者に与える不快感を有効に防止することができる。即ち、本発明においては、開封者の指がクチバシ部に当たることを防止するための緩衝用突部をクチバシ部の下側に設ける必要が無いため、このような突出部分の形成による成形性の低下も有効に解消されており、例えば通常の金型を用いての無理抜きにより成形することができる。
【図面の簡単な説明】
【００１３】
【図１】本発明のプラスチックキャップを、上蓋が開放された状態で示す平面図。
【図２】図１のプラスチックキャップの側断面図。
【図３】図１のプラスチックキャップを、上蓋を閉じた状態で示す側断面図。
【図４】図１のプラスチックキャップの要部であるクチバシ部を拡大して示す側断面図。
【図５】図１のプラスチックキャップの液切れ性を説明するための説明図であり、（ａ）は、キャップを４５度傾けて内容液の注ぎ出しを行っているときのクチバシ部の側断面を拡大して示す図であり、（ｂ）は、内容液の注ぎ出し後、キャップを正立状態に復帰したときのクチバシ部の側断面を拡大して示す図。
【図６】比較例のプラスチックキャップの液切れ性を説明するための説明図であり、（ａ）は、キャップを４５度傾けて内容液の注ぎ出しを行っているときのクチバシ部の側断面を拡大して示す図であり、（ｂ）は、内容液の注ぎ出し後、キャップを正立状態に復帰したときのクチバシ部の側断面を拡大して示す図。
【発明を実施するための形態】
【００１４】
図１乃至図４を参照して、このキャップは、キャップ本体１と、キャップ本体１にヒンジ連結された上蓋３とからなっている。かかるキャップは、それ自体公知の合成樹脂、例えば、低−、中−または高密度ポリエチレン、線状低密度ポリエチレン、アイソタクティックポリプロピレン、エチレン−プロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂、熱可塑性ポリエステル、ポリアミド等を用いての射出成形等により、上蓋３が開栓された状態（図２参照）で成形される。
【００１５】
キャップ本体１は、頂板部５と、頂板部５の周縁部から垂下しているスカート部７とを有しており、上蓋３は、スカート部７の上端部分にヒンジ連結部９を介してヒンジ連結されている。このヒンジ連結部９は、スカート部７の上端に連結された中央バンド９ａと、この中央バンド９ａの両側に位置し且つスカート部７の上端より若干下方に連結されている１対の補助バンド９ｂ，９ｂとから形成されている。このようにしてスカート部７にヒンジ連結されている上蓋３を旋回することにより、キャップ本体１の頂板部５は、上蓋３によって閉じられる。
【００１６】
尚、中央バンド９ａの中心部上面側には矩形状の浅い溝９ｃが中央バンド９ａの両端近傍まで延びている。この溝９ｃはヒンジの折れ曲がり易さを向上させるために設けられている。溝９ｃが中央バンド９ａの両端に至らないように形成されているのは、上蓋３の開閉を多数行った場合においても、このバンド９ａが破断しないようにするためである。
【００１７】
キャップ本体１のスカート部７の内面には、係止突起１０が形成されており、また、頂板部５の内面の周縁部分には、スカート部７とは間隔を置いて下方に延びているインナーリング１１が形成されている。即ち、このインナーリング１１とスカート部７との間の空間に容器口部（図示せず）が嵌め込まれ、且つ係止突起１０と容器口部の外面との係合により、キャップ本体１は、容器口部にしっかりと固定されるものである。
【００１８】
また、スカート部７には、その厚み部分に上端から下方に向かって延びているスリットＡが形成されており、かかるスリットＡによって、スカート部７は、内側壁７ａと外側壁７ｂとに区画された２重壁構造となっており、図２に示されているように、内側壁７ａと外側壁７ｂとは下端で連なっている。このようにスカート部７を２重壁構造とすることにより、キャップの分別廃棄に際して、キャップを容器口部から容易に取り除くことが可能となる。
【００１９】
例えば、図１及び図３から理解されるように、ヒンジ連結部９（補助バンド９ｂ）の近傍位置に、外側壁７ｂにスコア１３が軸方向に延びるように形成されており、上蓋３を引き降ろすことにより、スコア１３を引き裂いて外側壁７ｂを破断することによって、キャップ本体１を容器から容易に取り除くことができるような構造となっている。
【００２０】
さらに、外側壁７ｂの外面には、上記スコア１３の近傍部分（ヒンジ連結部９の近傍）に、軸方向に延びているリブＺが形成されている。このリブＺは、キャップ本体１を容器口部に嵌合固定する際の位置決め部材として使用されるものである。
【００２１】
キャップ本体１の頂板部５の上面には、上方に突出して内容液を注ぎ出す際に注ぎ出される液の案内となる注出突部１５が形成されており、注出突部１５の外側には、上蓋３との係合用の環状小突起１７が形成されている。
【００２２】
この注出突部１５は、ヒンジ連結部９側が切欠かれており（図１参照）、また、図２及び図３から理解されるように、注出突部１５の内側部分において、頂板部５は、ヒンジ連結部９側が低くなるように傾斜している。
【００２３】
さらに、注出突部１５の内側領域には、注出用開口を形成するための無端状スコア１９が形成されている。また、頂板部５の外面には、無端状スコア１９の内側となる領域に形成された支柱２０を介してスコア破断用タブリング２１が設けられている。即ち、このタブリング２１を引っ張り上げることにより、スコア１９が破断して注出用開口が形成されるわけである。
【００２４】
従って、スコア１９の破断によって形成された注出用開口から流れ出た内容液は、注出突部１５によって案内され、その内面に沿って注ぎ出される。先に述べたように、注出突部１５は、ヒンジ連結部９側が切欠かれて背が低くなっている。即ち、ヒンジ連結部９とは反対側の部分から内容液の注ぎ出しが行なわれるため、この部分には案内壁は必要ではなく、従って、この部分の背を低くしておくことにより、上蓋３を閉じる際に、注出突部１５が邪魔にならないようにしたものである。
【００２５】
また、注出突部１５の内面の下方部分は、全周に渡ってフラットであり且つ略直立したシール面２３となっており（特に図２参照）、上蓋３を閉じたとき、注出突部１５と頂板部５に形成されたシール面２３に上蓋３の一部が密着し、スコア１９を破断して注出用開口が形成された後の密封性が確保されるようになっている。
【００２６】
図１乃至図３から理解されるように、注出突部１５のヒンジ連結部９側とは反対側部分には、上端部分の一部が外方に突出し、上面からみて三角形状のクチバシ部３０が形成されている。このクチバシ部３０の頂点部分３０ａは、ヒンジ連結部９を通るキャップの中心線Ｘ上に位置している。
【００２７】
また、図４の部分拡大図に示されているように、クチバシ部３０の内面の下方部分には、下方から上方に向かって外方に傾斜している傾斜壁３１が形成されており、この傾斜壁３１の上端にクチバシ部３０が位置している。この傾斜壁３１の内面３１ａが前記シール面２３の上端部分に位置しており、この傾斜面３１ａの上端部分（クチバシ部３０の内面）には、注ぎ出される液がスムーズに流れるように溝３０ｂが形成されている。また、このクチバシ部３０の頂点部分３０ａの上面は、溝３０ｂの形成により他の部分よりも低くなっている。このようにしてクチバシ部３０を形成することにより、注出突部１５の付け根部分よりも外方に大きく突出しているクチバシ部３０が注ぎ口となり、頂点部分３０ａに液が集中するようにして内容液の注ぎ出しをスムーズに行うことができる。
【００２８】
一方、上蓋３は、天板４０と、天板４０の周縁部から延びている筒状側壁４１とから形成されており、天板４０の内面には、シール用リング４３が形成されている。即ち、上蓋３を閉じたとき、このシール用リング４３の外面が注出突部１５の内面下方のシール面２３に密着し、この密着により、スコア１９の破断により注出用開口を形成した後のシール性が確保される。尚、注出突部１５のヒンジ連結部９側部分の背が低くなっているため、この上蓋３を閉じる際にシール用リング４３はスムーズに注出突部１５内に入り込み、シール面２３と密着することとなる。
【００２９】
また、図１及び図３に示されているように、上蓋３の天板４０の中央部分はドーム状に膨出した膨出部４０ａとなっている。このような膨出部４０ａを形成することにより、シール用リング４３の内面からシール用リング４３で囲まれた天板４０の内面を角部のない球状面にすることができ、スコア１９の破断後に天板４０の内面に付着した内容液を速やかに容器内に戻すことができるようになっている。
【００３０】
さらに、天板４０の上端には、ヒンジ連結部９とは反対側部分（注出突部１５のクチバシ部３０が位置する側）に鍔４５が形成されており、これにより、上蓋３の開閉操作を容易に行うことができるようになっている。また、これにより、上蓋３を開封する際に、手の指が注出突部１５のクチバシ部３０の先端３０ａに触れ難くしている。
【００３１】
上蓋３の筒状側壁４１の下端面の先端部側（ヒンジ連結部９とは反対側部分）には、小突起４７が適当な間隔で設けられている。即ち、内容液の注出を行ったとき、キャップ本体１のスカート部の上面部分、特にヒンジ連結部９とは反対側部分には、注ぎ出された液が付着する場合がある。このような場合、上蓋３を閉じた時に、筒状側壁４１の下端面が全体にわたってスカート部の上面部分に密着してしまうと、付着している液がはじき飛ばされてしまい、周囲を汚してしまうなどの不都合を生じることがある。しかるに、上記のような小突起４７を形成しておけば、付着した液のはじき飛ばしを有効に回避することができる。
【００３２】
尚、筒状側壁４１の下端面のヒンジ連結部９側には、上記のような小突起４７の形成による傾きを回避するための高さ調整用の弧状突起４９が形成されている。
【００３３】
また、筒状側壁４１の下方部分の内面には、凸部５０が周状に形成されている。即ち、上蓋３を閉じたとき、この凸部５０が頂板部５の外面に形成されている小突起１７と係合し、これにより上蓋３の閉栓状態が保持されることとなる。
【００３４】
さらに、上記の筒状側壁４１の内面には、ヒンジ連結部９とは反対側の部分、即ち、天板４０に鍔４５が形成されている部分には、肉抜きにより溝５１が形成されている。このような溝５１を形成しておくことにより、上蓋３を閉じたときに、注出突部１５に形成されているクチバシ部３０の先端３０ａが上蓋３の筒状側壁４１の内面に接触せず、スムーズに上蓋３が閉じられるようになっている。
【００３５】
上述した構造のプラスチックキャップにおいて、本発明では、クチバシ部３０の形状が従来公知のものとは異なっており、この形状に新規な特徴を有している。
即ち、このクチバシ部３０の先端部分（頂点部分３０ａ）の側断面を拡大して示す図４を参照して、このクチバシ部３０には、キャップの正立状態において、その上端よりも低い位置に径方向外方に最も突出した最突出部６０を有しており、この最突出部６０から上方に延びている面６１について、該最突出部６０を起点として接線Ｓを引いた時、該接線Ｓの垂直軸に対する角αが４５度未満となっている。また、最突出部６０から下方に延びている面は下に凸の曲率面６３となっており、この曲率面６３を介してクチバシ部３０の外面は、傾斜壁３１の上端に連続している。従って、このような曲率面６３の形成により、最突出部６０よりも下方に最下端部６５が形成され、最下端部６５よりも径方向内方側には、傾斜壁３１の上端部分と最下端部６５との間に凹部６７が形成されることとなる。
【００３６】
本発明では、クチバシ部３０が上記のような形状を有している結果、容器内容液を注ぎ出したときの液切れ性が一層高められ、また、上蓋３を開封するに際して、開封者の指先がクチバシ部３０に当接することにより使用者に与える不快感が有効に緩和されている。
【００３７】
即ち、このキャップが装着されている容器を傾けて内容液の注ぎ出しを行う場合、その傾斜角（水平線に対する角）は、容器内容液の量によって異なり、注ぎ出しが行われて容器内容液が少なくなってくるにしたがい、その傾斜角は大きくなり、容器を大きく傾けて内容液の注ぎ出しが行われるようになる。従って、内容液の注ぎ出しが行われていない初期の状態での傾斜角が最も小さく、４５度程度である。
【００３８】
しかるに、図５を参照して、上述した形状を有しているクチバシ部３０を備えた本発明のキャップを４５度に傾けて内容液の注ぎ出しを行うと、このクチバシ部３０の径方向外方に最も突出した部分は、図５（ａ）に示されているように、前述した最突出部６０の位置から７０で示される部分（シフト突出部）に移行することとなる。即ち、シフト突出部７０とは、注ぎ出しの際に容器を傾けた時のクチバシ部３０の径方向外方に最も突出した位置のことであり、容器を傾けた角度に応じて位置が移行する。よって、注ぎ出された内容液８０は、このシフト突出部７０から下方に滴下することとなる。このようにして、内容液を注ぎ出した後、キャップ（容器）を正立状態に戻すと、クチバシ部３０の上面に残った液内容液８０は、図５（ｂ）に示されている様に、最突出部６０に沿って最下端部６５に流れ、この最下端部６５から落下することとなる。
【００３９】
上記の説明から理解されるように、本発明のキャップでは、キャップを４５度傾けて内容液８０の注ぎ出しを行った場合、最突出部６０から離れたシフト突出部７０から内容液８０が落下するため、この内容液８０がクチバシ部３０の裏側（即ち凹部６７の部分）に裏回りすることがなく、例えば正立状態に復帰させた場合にも内容液８０は最下端部６５から速やかに落下し、何れの場合にも、内容液８０が注出突部１５の外面（傾斜壁３１の外面３１ｂ）に沿って流れ落ちるという不都合が有効に防止される。また、内容液８０のクチバシ部３０の裏回りが有効に防止されているため、内容液８０の注ぎ出し操作を繰り返し行った場合においても、内容液８０が注出突部１５の外面に沿って流れ落ちるという不都合を生じることはない。
また、容器内に残る内容液の量が減ってくると、注ぎ出しのためのキャップの傾斜角度はさらに大きくなるが、この傾斜が大きくなるほど、キャップを傾けたときのシフト突出部７０の位置は最突出部から離れた上方位置にシフトするため、益々、内容液８０の裏回りが防止されることとなる。
従って、本発明では、容器内に内容液が一杯に充填されている初期状態から内容液の量が僅かとなった最後の段階にわたって、安定した液切れ性を示すわけである。
【００４０】
一方、図６に示されているように、最突出部６０での接線Ｓでの傾斜角αが４５度以上となっており、また最突出部６０の下側に下方に凸の曲率面６３が形成されていない比較例のキャップでは、該キャップを４５度傾けたときにも、最突出部６０の位置はシフトせず、シフト突出部は形成されず、この最突出部６０に隣接してクチバシ部３０の裏面が存在している。従って、キャップを４５度傾けて内容液の注ぎ出しを行った場合、この最突出部６０から内容液８０が落下することとなり（図６（ａ）参照）、このため、内容液８０の裏回りを生じ易く、内容液８０が注出突部１５の外面に沿って流れ落ちるという不都合を生じ易い。また、内容液８０が注出突部１５の外面に沿って流れ落ちるには至らないとしても、クチバシ部３０の裏面に内容液８０が付着残存してしまう。従って、内容液８０の注ぎ出し後、キャップを正立状態に復帰させたときにも、残った内容液８０も最突出部６０から落下するため、クチバシ部３０の裏側に付着した内容液８０が呼び水となり、一層裏回りが生じ易くなっている。この結果、初期段階では液切れ性が良好であったとしても、内容液８０の注ぎ出し操作を繰り返し行った場合には、クチバシ部３０の裏側に付着した液が多くなってしまうため、内容液８０が注出突部１５の外面に沿って流れ落ちるという不都合を生じてしまうのである。
【００４１】
以上の説明から理解されるように、本発明のキャップは、優れた液切れ性を示すが、最突出部６０よりも下方の領域が下に凸の曲率面６３となっているため、上蓋３を開封する際に、開封者の指がクチバシ部３０に当たったとしても、当る部分が曲率面６３となるため、開封者に与える不快感は有効に緩和されることとなる。
【００４２】
上述した本発明において、内容液の注ぎ出しに際しての液切れ性は、キャップを４５度傾けたときに形成されるシフト突出部７０の位置が最突出部６０から径方向に離れるほど向上する。従って、この最突出部６０とシフト突出部７０との間隔ｄ（図５（ａ）参照）が１ｍｍ以上、特に２ｍｍ以上、最も好ましくは３ｍｍ以上となるように、前述した最突出部６０での接線Ｓの傾斜角αを設定するのがよい。勿論、このような傾斜角αの大きさが確保される限り、最突出部６０から上方に延びている面６１はフラットな傾斜面であってもよし、曲率面であってもよい。
【００４３】
また、本発明においては、クチバシ部３０の下方部分には、注出突部１５の外面がフラットな面となっており、突出した部分や凹んだ部分は全く形成されていない。従って、複雑な構造の割金型を用いることなく、通常の無理抜きにより成形後の型抜きを行うことができ、成形性にも極めて優れている。
【００４４】
尚、本発明においては、上述したクチバシ部３０が形成されている部分の下方の注出突部１５の傾斜壁３１は、その外面３１ｂの傾斜角θが、周方向両端からクチバシ部３０の中心（３０ａ）に位置する部分に向かって漸次大きくなっていることが好適である。このように傾斜角θが変化するように傾斜壁３１を形成することにより、クチバシ部３０を径方向外方に大きく突出させた場合においても、成形後の型抜きを無理抜きによりスムーズに行うことができる。
【００４５】
上述した本発明のキャップは、各種飲料や醤油等の調味液などが充填された容器のキャップとして効果的に使用することができる。
【符号の説明】
【００４６】
１：キャップ本体
３：上蓋
１５：注出突部
３０：クチバシ部
６０：最突出部
６３：下に凸の曲率面
７０：シフト突出部
【図１】
2011213369.tif 000003
【図２】
2011213369.tif 000004
【図３】
2011213369.tif 000005
【図４】
2011213369.tif 000006
【図５】
2011213369.tif 000007
【図６】
2011213369.tif 000008